【手続補正書】
【提出日】平成19年12月13日(2007.12.13)
【手続補正１】
【補正対象書類名】特許請求の範囲
【補正対象項目名】全文
【補正方法】変更
【補正の内容】
【特許請求の範囲】
【請求項１】
情報を再生可能な情報再生装置において、
記録媒体に記録された情報を再生する再生部と、
放送信号を受信する受信部と、
映像信号の暗号を解読する暗号解読部と、
映像信号を伸張する映像信号伸張回路と、
前記記録媒体に記録された情報の再生信号と前記受信部により受信された放送信号の受信信号との両方の信号を表示するディスプレイと、
を備え
前記記録媒体からの情報の再生信号が前記放送信号の受信信号より画素数が高く、前記ディスプレイの画素数が前記放送受信信号の画素数とほぼ同等、又は前記記録媒体の再生信号の画素数の半分以下である場合には、前記記録媒体からの情報の再生信号の解読及び前記放送信号の受信信号の解読は、共通の前記暗号解読部で解読されることを特徴とする情報再生装置。
【請求項２】
請求項１に記載の情報再生装置において、
信号の方式を変換する変換部を備え、
前記記録媒体からの情報の再生信号及び前記放送信号の受信信号は、前記変換部でトランスポートストリーム信号、又はプログラムストリーム信号に揃えた後に、共通の前記映像信号伸張回路で伸張することを特徴とする情報再生装置。
【請求項３】
請求項１又は２記載の情報再生装置において、
信号の画素数を変換するトランスコーダを備え、
前記トランスコーダは、前記記録媒体に記録された情報の再生信号の画素数を前記ディスプレイの画素数と同等に間引いた後、前記映像信号伸張回路で伸張することを特徴とする情報再生装置。
【請求項４】
請求項３記載の情報再生装置において、
前記トランスコーダは、前記ディスプレイの画素数を放送信号の受信信号の画素数と同等に選び、前記記録媒体に記録された情報の再生信号の画素数を前記ディスプレイの画素数とほぼ同等に間引くことを特徴とする情報再生装置。
【請求項５】
情報を再生可能な情報再生装置において、
記録媒体に記録された情報と該情報の再生可能な地域を示す再生地域情報とを読み出す読み出し部と、
情報再生装置の現在位置を検出する位置情報検出部と、
前記記録媒体に記録された情報の再生を制御する制御部と、を備え、
前記制御部は、前記再生地域情報に示された地域と、前記位置情報検出部で検出された位置情報に対応する地域とが一致した場合に前記情報の再生を許可することを特徴とする情報再生装置。
【請求項６】
情報を再生可能な情報再生装置において、
ネットワークを通じて情報と該情報の再生可能な地域を示す再生地域情報とを受信する通信部と、
情報再生装置の現在位置を検出する位置情報検出部と、
前記通信部で受信した情報の再生を制御する制御部と、を備え、
前記制御部は、前記再生地域情報に示された地域と、前記位置情報検出部で検出された位置情報に対応する地域とが一致した場合に前記情報の再生を許可することを特徴とする情報再生装置。
【請求項７】
情報を再生可能な情報再生装置において、
放送信号からの情報と該情報の再生可能な地域を示す再生地域情報とを受信する受信部と、
情報再生装置の現在位置を検出する位置情報検出部と、
前記受信装置で受信した情報の再生を制御する制御部と、を備え、
前記制御部は、前記再生地域情報に示された地域と、前記位置情報検出部で検出された位置情報に対応する地域とが一致した場合に前記情報の再生を許可することを特徴とする情報再生装置。
【請求項８】
請求項５ないし７のいずれかに記載の情報再生装置において、
前記制御部は、前記再生地域情報に示された地域と、前記位置情報検出部で検出された位置情報に対応する地域とが一致しない場合には、前記情報の再生を許可しないことを特徴とする情報再生装置。
【請求項９】
請求項５に記載の情報再生装置において、前記位置情報検出部は、GPSを用いて緯度及び経度の情報を検出し、
前記制御部は、前記検出された緯度及び経度の情報に対応するリージョンコードと、前記記録媒体に記録されたリージョンコードとが一致するときは前記情報の再生を許可し、一致しないときは不許可とすることを特徴とする情報再生装置。
【請求項１０】
請求項６又は７に記載の情報再生装置において、
前記位置情報検出部は、GPSを用いて緯度及び経度の情報を検出し、
前記制御部は、前記検出された緯度及び経度の情報に対応するリージョンコードと、前記通信部又は受信部で受信したリージョンコードとが一致するときは前記情報の再生を許可し、一致しないときは不許可とすることを特徴とする情報再生装置。
【請求項１１】
圧縮情報信号を再生可能な情報再生装置において、
記録媒体に第１の伝送形式で記録された信号を再生する再生部と、
第２の伝送形式で伝送される信号を受信する受信部と、
前記受信部で受信した第２の伝送形式の信号を第１の伝送形式に変換する変換部と、
前記再生部で再生された第１の伝送形式の信号に含まれる圧縮情報信号及び前記変換部で第１の伝送形式に変換された信号に含まれる圧縮情報信号を伸張する伸張部と、
を備えることを特徴とする情報再生装置。
【請求項１２】
圧縮情報信号を再生可能な情報再生装置において、
記録媒体にプログラムストリーム形式で記録された信号を再生する再生部と、
トランスポート形式で伝送される信号を受信する受信部と、
前記受信部で受信したトランスポート形式の信号をプログラムストリーム形式に変換する変換部と、
前記再生部で再生されたプログラムストリーム形式の信号に含まれる圧縮情報信号及び前記変換部でプログラムストリーム形式に変換された信号に含まれる圧縮情報信号を伸張する伸張部と、
を備えることを特徴とする情報再生装置。
【請求項１３】
請求項１２に記載の情報再生装置において、
前記再生部で再生されたプログラムストリーム形式の信号に含まれる圧縮情報信号の伸張及び前記変換部でプログラムストリーム形式に変換された信号に含まれる圧縮情報信号の伸張は、共通の伸張部で行われることを特徴とする情報再生装置。
【請求項１４】
請求項１１又は１２に記載の情報再生装置において、
前記再生部から出力された信号又は前記受信部から出力された信号を選択する選択部を備え、
前記再生部から出力された信号が選択された場合には、前記伸張部は該信号に含まれる圧縮情報信号を伸張し、
前記受信部から出力された信号が選択された場合には、前記変換部は該信号を前記第２の伝送形式から第１の伝送形式に変換し、前記伸張部は該変換された信号に含まれる圧縮情報信号を伸張することを特徴とする情報再生装置。
【請求項１５】
請求項１４に記載の情報再生装置において、
前記選択部は、前記記録媒体が情報再生装置に装着されている場合には前記再生部から出力された信号を選択し、前記記録媒体が情報再生装置に装着されていない場合には前記受信部から出力された信号を選択することを特徴とする情報再生装置。
【請求項１６】
記録媒体に特定の映像圧縮方式で圧縮された映像信号を含むプログラムストリーム形式で記録された情報を再生するポータブル情報再生装置において、
該映像圧縮方式で圧縮された映像信号を含むトランスポート形式でデジタル伝送された情報を受信する装置と、該受信信号をプログラムストリーム形式に変換する装置と、該記録媒体から再生されたプログラムストリーム信号と該受信及び変換されたプログラムストリーム信号の両方に含まれる圧縮映像信号を共通に伸長する装置を具備することを特徴とするポータブル情報再生装置。
【請求項１７】
情報をディスプレイ上に再生するリージョンを制限するリージョンコードを含む情報を再生するポータブル情報再生装置において、
該装置が所在するリージョンを検出する装置を具備するとともに、該情報に含まれるリージョンコードと該検出装置が検出したリージョンコードとを照合する装置と、該装置の照合結果に従い情報を内蔵ディスプレイに再生するかどうかを選択する装置を具備することを特徴とするポータブル情報再生装置。